(57)【特許請求の範囲】
【請求項１】
第１の入力映像信号のペデスタルを第１の基準電圧でクランプし且つオフセット発生要因回路を経由した信号と第２の入力映像信号のペデスタルを第２の基準電圧でクランプした信号とを交互に切り替えて出力する映像信号処理方法において、
前記第１の映像信号をそのペデスタルを前記第１の基準電圧に置換した信号とし、
該置換し且つ前記オフセット発生要因回路を経由した前記第１の映像信号のペデスタルレベルの電圧を前記第２の映像信号のペデスタルをクランプする際の前記第２の基準電圧とすることを特徴とする映像信号処理方法。
【請求項２】
第１の基準電圧を発生するクランプ電圧発生回路と、
クランプパルスを発生するクランプパルス発生回路と、
第１の入力映像信号のペデスタルを前記クランプパルスにより前記第１の基準電圧に固定する第１のペデスタルクランプ回路と、
該第１のペデスタルクランプ回路の出力信号と前記第１の基準電圧を前記クランプパルスにより切り替える第１のスイッチ回路と、
該第１のスイッチ回路の出力信号を入力するオフセット発生要因回路と、
該オフセット発生要因回路の出力信号を入力するバッファ回路と、
前記クランプパルスにより前記バッファ回路の出力信号のペデスタルレベルの電圧を第２の基準電圧とし、第２の入力映像信号のペデスタルを該第２の基準電圧に固定する第２のペデスタルクランプ回路と、
該第２のペデスタルクランプ回路の出力信号と前記オフセット発生要因回路の出力信号とを切り替える第２のスイッチ回路と、
を具備することを特徴とする映像信号処理装置。
【請求項３】
請求項２において、
前記クランプパルス発生回路は前記第１および第２の入力映像信号に同期したクランプパルスを発生することを特徴とする映像信号処理装置。
【請求項４】
請求項２において、
前記クランプパルス発生回路は前記第１の入力映像信号に同期したクランプパルスを発生し、且つ前記第２のスイッチ回路が前記第１のスイッチ回路の出力信号を選択することを特徴とする映像信号処理装置。
【請求項５】
請求項２において、
前記クランプパルス発生回路は前記第２の入力映像信号に同期したクランプパルスを発生し、且つ前記第２のスイッチ回路が前記第２のペデスタルクランプ回路の出力信号を選択することを特徴とする映像信号処理装置。
【発明の詳細な説明】
【０００１】
【発明の属する技術分野】
本発明は、テレビジョン装置やパーソナルコンピュータのディスプレイ装置等に入力される映像信号を処理してＯＳＤ（オンスクリーンディスプレイ）等を実現する映像信号処理方法および装置に関するものである。
【０００２】
【従来の技術】
映像信号Ａに映像信号Ｂを挿入するＯＳＤを行う従来の映像信号処理装置は、図５に示すように構成されている。入力端子２１からペデスタルクランプ回路２２に入力された映像信号Ａは、そのペデスタルレベルが、クランプパルス発生回路２３で発生したクランプパルスＰｃ１のタイミングでクランプ電圧発生回路２４から供給された直流のクランプ電圧Ｖｃ１に揃えられ、スイッチ回路２５の接点２５ａに入力される。
【０００３】
同じく、入力端子２６からペデスタルクランプ回路２７に入力された映像信号Ｂは、そのペデスタルレベルが、クランプパルス発生回路２３で発生したクランプパルスＰｃ１のタイミングでクランプ電圧発生回路２４から供給された直流のクランプ電圧Ｖｃ１に揃えられ、スイッチ回路２５の接点２５ｂに入力される。
【０００４】
スイッチ回路２５は、スイッチ切り替えパルスＰｂにより接点２５ａと２５ｂが切り替えられ、これにより映像信号Ａ，Ｂが切り替えられて出力端子２８に出力し、ＯＳＤが行われる。このとき、両方の映像信号Ａ，Ｂはクランプ電圧発生回路２４から供給されるクランプ電圧Ｖｃ１で共通にクランプされるため、クランプレベルは同一の電圧Ｖｃ１となり、ＯＳＤにより挿入された信号レベルが変動することはない。
【０００５】
【発明が解決しようとする課題】
しかしながら、上記従来の構造では、図６に示すごとく、ペデスタルクランプ回路２２とスイッチ回路２５との間に、ペデスタルレベルを変動させるようなオフセット発生要因回路２９が挿入されたような構成では、映像信号Ａ，Ｂの間に直流オフセット電圧が発生し、ＯＳＤを行った場合、そのＯＳＤにより挿入された信号レベルが変動し再生映像が明るくなったり、暗くなったりする問題を有する。
【０００６】
このときの動作を図７を参照して説明する。映像信号Ａはペデスタルクランプ回路２２において図７（ｂ）に示すクランプパルスＰｃ１のタイミングでクランプされ、図７（ａ）に示すごとくペデスタルが電圧Ｖｃ１に固定される。このようにペデスタルがクランプされた映像信号Ａがオフセット発生要因回路２９に入力すると、このときのオフセット発生要因回路２９のオフセット電圧がΔＶＥであったとすると、ペデスタルレベルは「Ｖｃ１＋ΔＶＥ＝Ｖｃ２」に変化し、図７（ｃ）に示すようになる。一方、映像信号Ｂは、図７（ｂ）に示すクランプパルスＰｃ１のタイミングでクランプされて、図７（ｅ）に示すごとくペデスタルが電圧Ｖｃ１に固定される。ＶＭはこの映像信号Ｂの振幅である。
【０００７】
この図７（ｃ）、（ｅ）に示す両方の信号がスイッチ回路２５に入力されると、図７（ｄ）の切り替えパルスＰｂが「Ｈ」レベルのときは接点２５ｂが選択され、「Ｌ」レベルのとき２５ａが選択されるので、出力端子２８の出力信号はオフセット発生要因回路２９がないときは図７（ｆ）に示す波形となる。
【０００８】
しかし、オフセット発生要因回路２９があるときは、図７（ｇ）に示すように、ＯＳＤレベル（映像信号Ｂのレベル）は映像信号ＡのペデスタルレベルＶｃ２からＶＭの振幅ではなく「ＶＭ−ΔＶＥ」の振幅となり、オフセット発生要因回路２９のオフセット電圧ΔＶＥだけずれてしまう。このため、再生画面が暗くなったり、明るくなったりしてしまうことになる。特に、出力端子２８の後段回路に高利得回路がある場合には、このオフセット電圧ΔＶＥがより強調されてしまうことになる。
【０００９】
本発明は、このような点を鑑みてなされたものであって、オフセット発生要因を内包するような場合に、映像信号をＯＳＤする場合でもオフセットの生じることのない映像信号処理方法および装置を提供することを目的とする。
【００１０】
【課題を解決するための手段】
請求項１に係わる発明は、第１の入力映像信号のペデスタルを第１の基準電圧でクランプし且つオフセット発生要因回路を経由した信号と第２の入力映像信号のペデスタルを第２の基準電圧でクランプした信号とを交互に切り替えて出力する映像信号処理方法において、前記第１の映像信号をそのペデスタルを前記第１の基準電圧に置換した信号とし、該置換し且つ前記オフセット発生要因回路を経由した前記第１の映像信号のペデスタルレベルの電圧を前記第２の映像信号のペデスタルをクランプする際の前記第２の基準電圧とすることを特徴とする映像信号処理方法とした。
【００１１】
請求項２に係わる発明は、第１の基準電圧を発生するクランプ電圧発生回路と、クランプパルスを発生するクランプパルス発生回路と、第１の入力映像信号のペデスタルを前記クランプパルスにより前記第１の基準電圧に固定する第１のペデスタルクランプ回路と、該第１のペデスタルクランプ回路の出力信号と前記第１の基準電圧を前記クランプパルスにより切り替える第１のスイッチ回路と、該第１のスイッチ回路の出力信号を入力するオフセット発生要因回路と、該オフセット発生要因回路の出力信号を入力するバッファ回路と、前記クランプパルスにより前記バッファ回路の出力信号のペデスタルレベルの電圧を第２の基準電圧とし、第２の入力映像信号のペデスタルを該第２の基準電圧に固定する第２のペデスタルクランプ回路と、該第２のペデスタルクランプ回路の出力信号と前記オフセット発生要因回路の出力信号とを切り替える第２のスイッチ回路と、を具備することを特徴とする映像信号処理装置とした。
【００１２】
請求項３に係わる発明は、請求項２に係わる発明において、前記クランプパルス発生回路は前記第１および第２の入力映像信号に同期したクランプパルスを発生することを特徴とする映像信号処理装置とした。
【００１３】
請求項４に係わる発明は、請求項２に係わる発明において、前記クランプパルス発生回路は前記第１の入力映像信号に同期したクランプパルスを発生し、且つ前記第２のスイッチ回路が前記第１のスイッチ回路の出力信号を選択することを特徴とする映像信号処理装置とした。
【００１４】
請求項５に係わる発明は、請求項２に係わる発明において、前記クランプパルス発生回路は前記第２の入力映像信号に同期したクランプパルスを発生し、且つ前記第２のスイッチ回路が前記第２のペデスタルクランプ回路の出力信号を選択することを特徴とする映像信号処理装置とした。
【００１５】
【発明の実施の形態】
以下、本発明の実施の形態について、図１を参照して説明する。図１において、１は映像信号Ａの入力端子、２は映像信号Ｂの入力端子、３は映像信号Ａに同期したクランプパルスＰｃ１を発生するクランプパルス発生回路、４はクランプ電圧Ｖｃ１を発生するクランプ電圧発生回路である。５は第１のペデスタルクランプ回路であり、映像信号Ａのペデスタルレベルをクランプ電圧Ｖｃ１に基づいてクランプパルスＰｃ１のタイミングでクランプする。６は第１のスイッチ回路であり、接点６ａには第１のペデスタルクランプ回路５の出力信号が入力し、接点６ｂにはクランプ電圧Ｖｃ１が入力し、クランプパルスＰｃ１が「Ｌ」レベルの期間は接点６ａが選択され、クランプパルスＰｃ１が「Ｈ」のレベルの期間は接点６ｂが選択される。このスイッチ回路６の出力は、バッファ回路７および第２のスイッチ回路８の接点８ａに接続される。９は映像信号Ｂのペデスタルレベルを、バッファ回路７の出力信号のペデスタルレベル電圧に基づきクランプパルスＰｃ１のタイミングでクランプする第２のペデスタルクランプ回路である。この第２のペデスタルクランプ回路９の出力はスイッチ回路８の接点８ｂに接続されている。スイッチ回路８は、スイッチ切り替えパルスＰｂが「Ｌ」レベル期間は接点８ａを選択し、「Ｈ」レベル期間は接点８ｂを選択する。
【００１６】
次に図３を参照して動作を説明する。本装置の入力端子１に入力された映像信号Ａを図３（ａ）に示すような信号とすると、この信号はペデスタルクランプ回路５を介してスイッチ回路６の接点６ａに入力される。ペデスタルクランプ回路５において、映像信号Ａは、この信号に同期した図３（ｂ）に示すようなクランプパルスＰｃ１のタイミングでクランプされ、図３（ｃ）に示すようにペデスタルが電圧Ｖｃ１に固定された信号となる。スイッチ回路６の接点６ｂにはクランプ電圧Ｖｃ１が供給され、さらにこのスイッチ回路６は図３（ｂ）のクランプパルスＰｃ１により接点の切り替えが駆動されるため、映像信号Ａのペデスタルが接点６ｂの電圧Ｖｃ１に置換されることになり、スイッチ回路６の出力は図３（ｃ）に示すようなクランプ後の波形と同一となる。さらにスイッチ回路６の出力は、スイッチ回路８の接点８ａおよびバッファ回路７に入力し、このバッファ回路７の出力はペデスタルクランプ回路９に供給される。つまり、スイッチ回路８の接点８ａおよびペデスタルクランプ回路９に供給される映像信号のペデスタルの電圧は、クランプパルスＰｃ１によって常にクランプ電圧Ｖｃ１に置換されることになる。
【００１７】
また、入力端子２の映像信号Ｂを図３（ｄ）に示すような信号とすると、この信号はペデスタルクランプ回路９を介してスイッチ回路８の接点８ｂに入力される。このとき、映像信号Ｂは、ペデスタルクランプ回路９において映像信号Ａに同期した図３（ｂ）に示すようなクランプパルスＰｃ１のタイミングでクランプされるが、バッファ回路７から供給された信号のペデスタルの電圧、つまり電圧Ｖｃ１をサンプルしてクランプ電圧とするため、図３（ｅ）に示すようにペデスタルが電圧Ｖｃ１に固定された信号となる。
【００１８】
スイッチ回路８には、図３（ｃ）に示すような信号と図３（ｅ）に示す信号が供給され、図３（ｆ）に示すようなスイッチ切り替えパルスＰｂにより「Ｌ」レベルの期間は接点８ａが選択され、「Ｈ」レベルの期間は接点８ｂが選択される。図３の（ｃ）と（ｅ）に示す両信号のペデスタルレベルはＶｃ１で同一であるから、スイッチ回路８の出力端子１０の信号は図３（ｇ）に示すようになり、ＯＳＤにより挿入された信号（この場合は映像信号Ｂ）のレベルが変動することはない。
【００１９】
次に、映像信号処理装置にオフセット発生要因回路１１を、図２のごとくスイッチ回路６とスイッチ回路８の間に配置するよう設定した場合について説明する。スイッチ回路６の出力は第３図（ｃ）に示すようにペデスタルを電圧Ｖｃ１に置換された信号となっている。オフセット発生要因回路１１により発生する直流オフセット電圧をΔＶEとすると、オフセット電圧発生要因回路１１の出力は、図３（ｈ）に示すとおり、そのペデスタルレベルが「Ｖｃ１＋ΔＶE＝Ｖｃ２」となり、バッファ回路７とスイッチ回路８の接点８ａに供給される。映像信号Ｂはペデスタルクランプ回路９において、図３（ｂ）に示すようにクランプパルスＰｃ１のタイミングで、バッファ回路７から供給された信号のペデスタルの電圧、つまり電圧Ｖｃ２をサンプルしてクランプ電圧とするため、図３（ｉ）に示すようにペデスタルが電圧Ｖｃ２に固定された信号となり、スイッチ回路８の接点８ｂに入力される。
【００２０】
スイッチ回路８では、図３（ｆ）に示すような切り替えパルスＰｂで「Ｌ」レベルの期間は接点８ａが選択され、「Ｈ」レベルの期間は接点８ｂが選択されるので、出力端子１０の出力信号はオフセット発生要因回路９がないときの図３（ｇ）に示す波形と比較し、図３（ｊ）に示すように、ＯＳＤレベル（映像信号Ｂのレベル）は映像信号ＡのペデスタルレベルＶｃ２からＶＭの振幅となり、ＯＳＤ後の信号にオフセット電圧が発生しない。このため、出力端子１０の後段回路に高利得回路がある場合でも、再生画面が暗くなったり、明るくなったりすることはない。
【００２１】
次に、映像信号Ａと映像信号Ｂが同期しておらず、ＯＳＤを行わない場合を、図２の回路に基づいて図４を参照して説明する。本装置の入力端子１に入力された映像信号Ａはペデスタルクランプ回路５を介してスイッチ回路６の接点６ａに入力される。ペデスタルクランプ回路５において、映像信号Ａは、この信号に同期した図４（ｂ）に示すようなクランプパルスＰｃ１のタイミングでクランプされ、ペデスタルが電圧Ｖｃ１に固定された図４（ａ）に示すような信号となる。スイッチ回路６の接点６ｂにはクランプ電圧Ｖｃ１が供給されており、スイッチ回路６は図４（ｂ）に示すクランプパルスＰｃ１により駆動されるため、映像信号Ａのペデスタルが接点６ｂの電圧Ｖｃ１に置換される。この信号はさらにオフセット発生要因回路１１によりオフセット電圧ΔＶE分ずれることにより、図４（ｃ）に示すようにペデスタルレベルが電圧Ｖｃ２の信号となり、スイッチ回路８の接点８ａに入力される。スイッチ回路８を駆動するスイッチ切り替えパルスＰｂを「Ｌ」レベルに固定すると接点８ａが選択され、出力端子１０の信号は図４（ｃ）に示すようになり、入力端子１に入力する映像信号Ａが出力される。
【００２２】
入力端子２に入力する映像信号Ｂを図４（ｄ）のように、図４（ａ）に示した映像信号Ａと同期していない信号とし、クランプパルス発生回路３を図４（ｅ）のように映像信号Ｂと同期した信号とする。映像信号Ａはペデスタルクランプ回路５にて、図４（ｅ）のクランプパルスＰｃ１のタイミングにて電圧Ｖｃ１に固定され、さらにスイッチ回路６は図４（ｅ）のクランプパルスＰｃ１により駆動されるため、映像信号Ａのペデスタルが接点６ｂの電圧Ｖｃ１に置換され、図４（ｆ）のようになる。スイッチ回路６の出力は、オフセット発生要因回路１１にてオフセット電圧ΔＶE分だけずれ、図４（ｇ）に示すような信号となりバッファ回路７を通ってペデスタルクランプ回路９に供給される。映像信号Ｂは、このペデスタルクランプ回路９にて図４（ｅ）に示すようなクランプパルスＰｃ１のタイミングでクランプされ、図４（ｇ）に示すようなバッファ回路７から供給された信号のペデスタルの電圧、つまり電圧Ｖｃ２をサンプルしてクランプ電圧とするため、図４（ｈ）に示すようにペデスタルがＶｃ２に固定された信号となり、スイッチ回路８の接点８ｂに入力される。スイッチ回路８を駆動するスイッチ切り替えパルスＰｂを「Ｈ」レベルに固定すると接点８ｂが選択され、出力端子１０の信号は図４（ｈ）に示す信号となり、入力端子１に入力する映像信号Ｂが出力される。
【００２３】
以上のように、同期していない２つの映像信号Ａ，Ｂを入力するとき、その内の選択した映像信号にクランプパスル発生回路３のクランプパルスＰｃ１を同期させ、スイッチ回路８の接点を当該選択した映像信号に応じて切り替えて固定しておくことにより、当該選択した映像信号のペデスタルを揃えた信号を出力することができる。
【００２４】
【発明の効果】
以上述べたように、本発明によれば、２つの映像信号をスイッチ回路にて切り替えて出力するような映像信号処理装置において、オフセット電圧を発生させるような回路ブロックを内在させたとしても、一方の映像信号のペデスタルレベルを強制的に直流電圧と置換し、その置換された直流電圧を、他方の映像信号のクランプ信号として用いるので、２つの映像信号間の相対的な直流オフセットをキャンセルできる。これにより、一方の信号を他方の信号に挿入するＯＳＤのような動作を行った場合、従来のように画面の明るさが変わることがなく、常に安定したＯＳＤを行うことができる映像信号処理装置を提供することができる。
【００２５】
また、２つの映像信号の同期がとれていなくても、かならずどちらかの一方の信号を正常にクランプ動作させることができる。
【図面の簡単な説明】
【図１】  本発明の実施の形態の信号処理装置のブロック図である。
【図２】  図１の信号処理装置にオフセット発生要因回路を挿入したブロック図である。
【図３】  入力する２つの映像信号が同期している場合の信号処理装置の動作波形図である。
【図４】  入力する２つの映像信号が同期していない場合の信号処理装置の動作波形図である。
【図５】  従来の信号処理装置のブロック図である。
【図６】  図５の信号処理装置にオフセット発生要因回路を挿入したブロック図である。
【図７】  従来の信号処理装置の動作波形図である。
【符号の説明】
１：入力端子
２：入力端子
３：クランプパルス発生回路
４：クランプ電圧発生回路
５：第１のペデスタルクランプ回路
６：第１のスイッチ回路
７：バッファ回路
８：第２のスイッチ回路
９：第２のペデスタルクランプ回路
１０：出力端子
１１：オフセット発生要因回路
【図１】
0004017064.tif 000002
【図２】
0004017064.tif 000003
【図３】
0004017064.tif 000004
【図４】
0004017064.tif 000005
【図５】
0004017064.tif 000006
【図６】
0004017064.tif 000007
【図７】
0004017064.tif 000008